(57)【要約】  携帯電話（１０４）のような個人向け携帯機器は、ある位置に十分な時間滞在すると、又はユーザー入力（１３６）に応じて、自身の位置の識別子を格納し(２４０、２５２)、及び前記位置を家庭用電子機器（ＣＥ）（１６４）の推奨システム（１６８）へ報告する(１２４、１５６、１６０)。ユーザーの旅程の知識に基づき、推奨システム（１６８）は、コンテンツを選択又はフィルターし、ユーザーが興味のありそうなプログラムを配信する。
2007527153.tif 000002
【特許請求の範囲】
【請求項１】
方法であって、移動端末のユーザーに関連するユーザーデータを家庭用電子機器の推奨システムへ提供し、前記方法は：
前記端末により、前記端末の現在位置を判別する段階；
前記端末内に、前記判別された位置の識別子を保存する段階；及び
前記端末を利用し、家庭用電子機器の前記推奨システムへ前記判別された位置を通知する段階、
を有する、方法。
【請求項２】
前記端末は入力装置を有し、前記判別する段階は、前記ユーザーが前記入力装置を起動することにより開始される、請求項１記載の方法。
【請求項３】
前記端末はタイマーを有し、前記判別する段階は：
前記端末により、移動体網から信号を検出する段階；
前記信号から、前記判別された位置が前記ユーザーの所定のホーム区域の外側であるか否かを認識する段階；及び
前記端末が前記ホーム区域の外側にあると認識された場合、自動的に且つ前記端末を異なる位置に移動させる以外に前記ユーザーによる介入無しに、前記タイマーにより計測される第１の所定の期間を開始する段階、
を有する、請求項１記載の方法。
【請求項４】
前記判別する段階で判別された前記現在位置は、前記端末の移動に応じて変化し、前記現在位置は、常に地域及び前記地域内の下位地域を有し、前記地域及び下位地域は、前記端末により前記信号から識別され、前記開始する段階は、少なくとも１つの前記地域及び前記下位地域が前記第１の所定の期間を超えて変わらないか否かを判別するために前記信号を監視する段階を更に有する、請求項３記載の方法。
【請求項５】
前記監視する段階は：
前記地域が前記第１の所定の期間を超えて変わらないか否かを判別するために前記信号を監視する段階；及び
前記下位地域が第２の所定の期間を超えて変わらないか否かを判別するために前記信号を監視する段階、
を有する、請求項４記載の方法。
【請求項６】
前記地域が前記第１の所定の期間を超えて変わらないと判別された場合、前記保存する段階は、前記地域を識別子として保存する段階を更に有し、及び前記通知する段階は、前記推奨システムに前記地域を通知する段階を有する、請求項５記載の方法。
【請求項７】
前記地域及び前記下位地域の両方がそれぞれ前記第１及び第２の所定の期間を超えて変わらないと判別された場合、前記保存する段階は、前記下位地域を識別子として保存する段階を更に有し、及び前記通知する段階は、前記推奨システムに前記下位地域を通知する段階を有する、請求項６記載の方法。
【請求項８】
前記監視する段階は：
前記地域が前記第１の所定の期間を超えて変わらないか否か判別するために前記信号を監視する段階；及び
前記地域を監視する段階が地域は変わらないと判別している間、下位地域がどれだけの期間変わらないかを測定し、前記下位地域から新しい下位地域への変化を検出し、及び前記新しい下位地域がどれだけの期間変わらないかを測定するため下位地域を監視する段階、
を有する、請求項４記載の方法。
【請求項９】
前記判別、保存及び通知する段階は、前記端末を異なる位置へ移動させる以外にユーザーによる介入無しに前記端末により自動的に開始される、請求項１記載の方法。
【請求項１０】
移動端末であって、前記端末のユーザーに関連するユーザーデータを家庭用電子機器の推奨システムへ提供し、前記装置は：
メモリー；
送信機；
無線信号を受信するよう構成された受信機；及び
前記受信信号から、前記端末の現在位置を判別し、前記決定された位置の識別子を前記メモリーに保存し、及び前記送信機を利用し家庭用電子機器の前記推奨システムに前記判別された位置を通知する、プロセッサー、
を有する、移動端末。
【請求項１１】
前記端末は、入力装置を更に有し、及び前記判別が前記ユーザーが前記入力装置を起動することにより開始されるよう更に構成される、請求項１０記載の端末。
【請求項１２】
前記端末はタイマーを更に有し、前記信号は移動体網から送信され、前記プロセッサーは、前記信号を検出し、前記信号から前記判別された位置が前記ユーザーの所定のホーム区域の外側であるか否かを認識し、及び前記端末がホーム区域の外側にあると認識された場合、自動的に且つ前記端末を異なる位置に移動させる以外に前記ユーザーによる介入無しに、前記タイマーにより計測される第１の所定の期間を開始するよう、更に構成される、請求項１０記載の端末。
【請求項１３】
前記プロセッサーにより判別されるべき前記現在位置は、前記端末の移動に応じて変化し、前記現在位置は、常に地域及び前記地域内の下位地域を有し、前記プロセッサーは、前記地域及び前記下位地域を前記信号から識別し、少なくとも１つの地域及び下位地域が前記第１の所定の期間を超えて変わらないか否かを判別するために前記信号を監視するよう構成される、請求項１２記載の端末。
【請求項１４】
前記プロセッサーは：
前記地域が第１の所定の期間を超えて変わらないか否かを判別するために前記信号を監視し；及び
前記下位地域が第２の所定の期間を超えて変わらないか否かを判別するために前記信号を監視する、
よう構成される、請求項１３記載の端末。
【請求項１５】
前記プロセッサーは、前記地域が前記第１の所定の期間を超えて変わらないと判別された場合、前記地域を識別子として保存し、及び前記推奨システムに前記地域を通知するよう更に構成される、請求項１４記載の端末。
【請求項１６】
前記プロセッサーは、前記地域及び前記下位地域の両方がそれぞれ前記第１及び第２の所定の期間を超えて変わらないと判別された場合、前記下位地域を識別子として保存し、及び前記推奨システムに前記下位地域を通知するよう更に構成される、請求項１５記載の端末。
【請求項１７】
前記プロセッサーは、前記地域が第１の所定の期間を超えて変わらないか否かを判別するために前記信号を監視し、及び前記地域は変わらないと判別されている間、下位地域がどれだけの期間変わらないかを測定し、前記下位地域から新しい下位地域への変化を検出し、及び前記新しい下位地域がどれだけの期間変わらないかを測定するため下位地域を監視するよう構成される、請求項１３記載の端末。
【請求項１８】
前記プロセッサーは、前記判別、保存及び通知を、前記端末を異なる位置へ移動させる以外にユーザーによる介入無しに自動的に開始するよう構成される、請求項１０記載の端末。
【請求項１９】
前記端末は、携帯電話を有する、請求項１０記載の端末。
【発明の詳細な説明】
【技術分野】
【０００１】
本発明は、家庭用電子機器の推奨システムへのユーザーデータの提供に関し、より詳細には、前記システムへのユーザーの移動端末の位置の提供に関する。
【背景技術】
【０００２】
次第に多くの家庭用電子機器（ＣＥ）が、ユーザーの個人的ニーズに適用可能になっている。テレビジョン（ＴＶ）又はセットトップボックスのようなＣＥに統合された推奨システムは、装置の格別な個人化を可能にしている。このような装置の推奨システムは、ユーザーが好みのプログラム又はコンテンツを選択又はフィルターすることを支援する電子案内／補助として機能する。推奨システムを有するシステムの例は、ユーザーが好きなＴＶ番組を録画するための選択に推奨システムが利用されるＴｉＶｏ（登録商標）ボックスのようなパーソナルビデオレコーダー（ＰＶＲ）又はデジタルビデオレコーダー（ＤＶＲ）である。推奨システムの効果は、しかしながら、例えば１日の内の時間又は週の内の曜日と共に変化し得るユーザー選択のような、ユーザーが何を好み又は好まないかに関する入力に大きく依存する。推奨システムへのユーザーデータ又は「ユーザープロファイルデータ」の入力は、システムを正しく動作させるために重大な要素である。システムをより効率的に動作させ得る及びユーザーが所与の時間に価値がある（例えば、楽しめる）と感じるコンテンツの選択をユーザーに提供し得る信頼できるデータを発見し取得する必要がある。
【発明の開示】
【発明が解決しようとする課題】
【０００３】
本発明は、以上に説明された従来技術の欠点を解決する。本発明の目的は、家庭用電子機器（ＣＥ）の推奨システムへユーザーの移動端末の過去の位置に関する情報を供給することである。
【課題を解決するための手段】
【０００４】
推奨システムは、次に過去の位置に関連したコンテンツを提案する。本発明は、携帯電話、携帯型全地球測位システム（ＧＰＳ）受信機、パーソナルデジタルアシスタント（ＰＤＡ）のようなユーザーの移動端末は、厳密に言えば、ユーザーがほとんど常に携帯する個人向け機器へと発展してきたこと、例えば、携帯電話は異なる階級の位置情報を検索できるという認識に基づく。携帯電話網のような移動端末網でブロードキャストされた制御情報は、国及び基地局又はブロードキャストを行っている無線基地局装置（ＢＴＳ）を識別するデータを有する。これは例えば、携帯電話がスペインにありバルセロナにあるＢＴＳのブロードキャストサービスエリア内にあるというデータから判別される。本発明はまた、携帯電話は、この情報を自動的に読み出し可能であり、次第に移動体及び家庭のＣＥ機器に組み込まれつつあるＢｌｕｅｔｏｏｔｈアドホック網を利用してこの情報を自動的に推奨システムへ伝達可能であるという認識に基づく。
【０００５】
纏めると、本発明は、移動端末のユーザーに関連するユーザーデータを家庭用電子機器の推奨システムへ提供する。本発明のある特長では、端末は、自身の現在位置を判別し、判別された位置の識別子を保存し、そして推奨システムに判別された位置を通知する。
【０００６】
本発明の別の特長では、端末はメモリー、送信機、無線信号を受信するよう構成された受信機、及び受信信号から端末の現在位置を判別するプロセッサーを有する。プロセッサーはまた、判別された位置の識別子をメモリーに保存し、及び送信機を利用して推奨システムに判別された位置を通知する。
【発明を実施するための最良の形態】
【０００７】
本願明細書に開示される本発明の詳細は、以下の図を用いて説明される。同一又は類似の特徴は、複数の図で同一の参照符号が付される。
【０００８】
図１は、非限定的な例として、本発明による携帯電話１０４及びＣＥ／推奨システムの組１０８を示す。携帯電話が示されるが、如何なる種類の携帯端末、例えばラップトップも本発明の範囲に包含される。携帯電話は、タイマー１１６を有するマイクロコントローラー１１２を有する。マイクロコントローラー１１２は、送信機及び受信機を有する送受信機１２０、Ｂｌｕｅｔｏｏｔｈ装置１２４、メモリー１２８、ＧＰＳ装置１３２、キーパッド１３６、マイクロフォン１４０、ＰＣＳ装置１４４、ディスプレイ１４８及びスピーカー１５２と接続される。送受信機１２０は、符号分割多重アクセス（ＣＤＭＡ）又はグローバル・システム・フォー・モバイル・テレコミュニケーションズ（ＧＳＭ）に基づき動作するような携帯電話網（示されない）のローカルの無線基地局装置（ＢＴＳ）と無線で通信する。Ｂｌｕｅｔｏｏｔｈ装置１２４は、それぞれ送受信機を有して良い。又は送受信機１２０はＢｌｕｅｔｏｏｔｈの周波数及び携帯電話網の周波数の両方に対応して良い。
【０００９】
Ｂｌｕｅｔｏｏｔｈは、それぞれＢｌｕｅｔｏｏｔｈ装置を組み込み、約１０メートル以内の範囲に位置する２つ以上の装置間の移動体無線通信の新しい技術である。次第に、Ｂｌｕｅｔｏｏｔｈ装置は、例えば携帯電話に利用されるようになった。メモリー１２８は、望ましくは、ランダムアクセスメモリー（ＲＡＭ）を有し、読み出し専用メモリー（ＲＯＭ）を種々の形式で有して良い。選択的な全地球測位システム（ＧＰＢ）装置１３２は、電話１０４が自身の位置を判別可能な選択的手段として機能する。パーソナル・コミュニケーション・システム（ＰＣＳ）装置１４４は、携帯電話の標準機能である自動ダイヤルのような複数の機能を有する。キーパッド１３６、ディスプレイ１４８、マイクロフォン１４０及びスピーカー１５２は、全て従来機能の実行に適する。図１に示されるように、電話１０４のアンテナ１５６は、ＣＥ／推奨システムの組１０８の推奨システム又はＴｉＶｏ１６８を有するテレビジョン（ＴＶ）１６４要素のアンテナ１６０と無線で望ましくはＢｌｕｅｔｏｏｔｈ接続で通信する。
【００１０】
図２は、携帯電話がユーザーデータとして本発明による推奨システムに提供可能な自身の位置に関する情報を引き出す、ある例を示す。電話１０４が通常契約者にサービスを提供する携帯電話網のホームエリア又は部分であるホーム区域から外にあると、その電話が判別すると、処理が開始する。ユーザーがホーム区域の外へ移動する場合、「ローミング」として知られるように、プロバイダー間で事前に合意されている場合、電話１０４は依然として網によりサービスを提供されるが、通常は請求料率が高い。携帯電話は、一般に、ブロードキャストされた符号又は符号列を電話内に格納された識別情報と比較することにより、ローミングする時を検出できる。それらが合致する限り、電話はホームネットワーク内にあり、ローミングを行わない（段階２０４）。これらの符号は、国のような地域、及び電話１０４が現在位置するＢＴＳサービスエリアのような地域に含まれる下位地域を識別する。電話は、以下に説明されるように、これらの符号をブロードキャストから引き出し、及び選択的にそれらをメモリー１２８に保存する。望ましくは、「スペイン」と「バルセロナ」のようなラベルをそれぞれ符号へ関連付けることは、推奨システム１６８により行われる。しかしながら、選択肢として、後者の機能も電話１０４に設定され得る。
【００１１】
符号が合致しない場合、電話はローミングを行う。ローミングは、推奨システム１６８に重要であり得るが必ずしも必要でない。ユーザーは、例えば、ユーザーのホームエリアに隣接するユーザーが特に興味のないエリアには滅多に移動しなくて良い。この実施例では、ローミング先のエリアが、例えば十分遠い又は所望の大陸にある等のユーザーにとって重要であろう特性を有するか否かの決定は、推奨システム１６８内のロジック及びそれに入力されるユーザーデータに従い行われる。しかしながら、電話１０４は選択的にこの決定を行うよう構成され得る。
【００１２】
この実施例では、中に入った地域は、推奨システム１６８への次の報告のために既に電話１０４に保存されている場合、無視される（段階２０８、２１２）。又は、地域の再訪に関するタイミング情報は、続く分析のために収集されて良い。
【００１３】
現在の地域が、推奨システム１６８へ続いて送信するためにまだ保存されていない場合（段階２１２）、電話１０４が現在の地域に滞在する時間長は、他のタイミング情報に従い決定される。より詳細には、電話１０４が現在の地域又は下位地域に十分長く滞在する場合、現在の地域又は下位地域は、必要に応じて、推奨システム１６８へ報告するために保持される。但し、対応する地域が保持されず下位地域が保持されない場合を除く。この例外は、本発明の望ましい特徴だが、必ずしも必要でない。
【００１４】
現在の地域及び下位地域のこれらのタイミングは、それぞれ現在の地域及び現在の下位地域に対応する第１及び第２の所定の期間をリセット、つまり再開することにより開始する（段階２１６）。例えば、タイマー１１６が実時間時計として実施される場合、期間のリセットは、単に時計の現在時刻にほかならず、その時刻を後の参照のために保存する。本発明の範囲では、しかしながら、また、タイマー１１６は複数の時計を有して良い。このような時計は、例えば、現在の地域に特有の時計、及びその地域内の現在の下位地域の特定の時期の時計である。専用の時計がこの実施例に従い利用される場合、期間のリセットは、その時計を（再）起動することにより達成されて良い。
【００１５】
更に、現在の地域及び下位地域は、それらの寿命がそれぞれ第１及び第２の所定の期間に関連して評価される間、一時的に格納される。例えば、現在の地域におけるユーザーの滞在が十分な寿命である（つまり、第１の所定の期間より長い）ことは、特にＴＶ１６４及びＴｉＶｏ（登録商標）がある家に帰った直後に、ユーザーが興味を示す地域に関する題材を見付けて得ることを示す。
【００１６】
次に、第１の所定の期間が終了したか否かの問い合わせが行われる（段階２２０、２２４）。期間が終了している場合、現在の地域の識別子は、電話１０４がＴＶの周辺に入ってきた時にＢｌｕｅｔｏｏｔｈにより、続いてＴＶ１６４へ送信するために保存される。識別子は、ブロードキャスト信号からの符号、つまり国コードであって良い。又は識別子は、以上に選択的な実施例と関連して提案されたように、「スペイン」のように翻訳又は解釈される符号から取得される記述ラベルであって良い。更に、以下に更に詳細に説明されるように、フラグを設定された下位地域も保存される（段階２２８）。処理は最初に戻る（段階２０４）。
【００１７】
また、終了した期間が第１の所定の期間でない場合、それは第２の所定の期間である。第２の所定の期間は、現在の下位地域に関連するので、現在の下位地域はフラグを設定される（段階２３２）。現在の地域の第１の所定の期間が、携帯電話１０４が新しい地域に入る前に終了した場合、現在の下位地域は、従って現在の地域と共に保存される。
【００１８】
また、段階２２０で如何なる期間も終了していないと判別された場合、現在の地域が変更したか否かの問い合わせが行われる（段階２３６）。この問い合わせは、現在のブロードキャスト信号に基づくか、又は代わりにＧＰＳ装置１３２を利用して検出される。現在の地域が変更した場合、新しい地域は格納される（段階２４０）。そして前の地域の如何なる下位地域も、それら下位地域が、それらの領域と同様に、推奨システム１６８へ報告されないよう、フラグを解除する（段階２４４）。処理は最初に戻る（段階２０４）。
【００１９】
現在の地域は変わらないが、現在の下位地域が変わった場合（段階２４８）、現在の下位地域は、寿命評価のために一時的に格納される（段階２５２）。そして第２の所定の期間はリセットされる（段階２５６）。
【００２０】
また、現在の下位地域も変わらない場合、処理は期間が終了したか否かを再び検査するために戻る（段階２２０）。
【００２１】
本発明の別の好適な実施例は、図３に示されるように、図２の実施例と異なり、第２の期間は利用されない。
【００２２】
代わりに、下位地域は、段階２５６に示されるように無期限である。従って、段階３２８から分かるように、下位地域は、十分な寿命の識別子として如何なるフラグの設定も必要がない。
【００２３】
望ましくは、推奨システム１６８は、下位地域の重要性の評価をそれらに対応するタイミングに基づき管理する。このタイミングは、段階３２８からも分かるように、推奨システムへ地域及び下位地域の識別子と共に、送信される。従って、第１の所定の期間だけ、又は「地域の期間」は、監視される必要がある。これは、それぞれ段階３１６、３２０に対応する。
【００２４】
以上に例として説明された２つの実施例では、電話１０４は、その現在の地域及び現在の下位地域により位置を示される。しかしながら、本発明は、２つの階級に限定されない。複数の階級が、本発明の範囲に包含されると考えられる。例えば、大陸、国、州／地方、市、郊外、通り、家である。従って、階級は、例えば、地域として国、下位地域として国の中の州、更に後者に含まれる下位地域として州の中の市のように、伸縮可能な階層に構成され得る。ラベル及び選択的にはタイミング情報は、タイマー１１６の１つ以上の時計に基づき１つ以上の複数の下位地域に亘る監視から収集されて良い。収集されたデータの全体又は部分の解釈は、電話１０４により実行されるか、又は推奨システム１６８に予約されて良い。
【００２５】
ユーザーが家に戻ると、ユーザー及び従ってユーザーの電話１０４がＴＶ１６４内の他のＢｌｕｅｔｏｏｔｈ装置のＢｌｕｅｔｏｏｔｈ機能が有効な範囲にやってくるので、Ｂｌｕｅｔｏｏｔｈ接続は、自動的に及びシームレスに確立される。以上に説明された実施例の送信のために保存された情報は、次にこのＴＶ１６４との、そして次に推奨システム１６８との接続により自動的に転送される。推奨システム１６８は、地域の識別子から「スペイン」を、及び下位地域の識別子から「バルセロナ」を推測する。帰宅した旅行者は、例えば、バルセロナ／スペインのドキュメンタリーを見たいかも知れない。ユーザーは笑って「ただいま」と言うだけで良い。
【００２６】
以上に説明されたように、携帯電話は、既存の網設備を利用して、自動的に及びユーザーが旅行中そして帰宅する間に携帯電話を持っている以外に何もせずに、推奨システムにユーザーが実用的又は娯楽の理由から価値を見出した題材を反映する信頼できるユーザーデータを供給することを簡単に実現できる。
【００２７】
本発明の好適な実施例と考えられるものが示され説明されたが、勿論、形状及び詳細の種々の変形及び変更が、本発明の精神から逸脱することなく直ちになされることが理解されるだろう。例えば、キーパッド１３６は、ユーザーにより起動可能な「位置を格納する」ボタンと共に構成され、以上に説明されたように実施例を自動的に機能させる代わりに、又は望ましくは加えて、現在の位置を格納できる。従って、本発明は、説明され図示された形式に限定されず、請求の範囲に属する全ての変形例を包含すると見なされるべきである。
【図面の簡単な説明】
【００２８】
【図１】本発明による、携帯電話及びＣＥ／推奨システムの組み合わせを示すブロック図である。
【図２】本発明の好適な実施例の機能を説明するフローチャートである。
【図３】本発明の別の好適な実施例の機能を説明するフローチャートである。
【図１】
2007527153.tif 000003
【図２】
2007527153.tif 000004
【図３】
2007527153.tif 000005
【国際調査報告】
2007527153.tif 000006
2007527153.tif 000007
2007527153.tif 000008